(57)【要約】【課題】電源を内蔵したカウンタ装置を用いることなく、自動販売機本体が通電していないときでも商品の累計販売数を表示することのできる自動販売機を提供する。【解決手段】販売された商品を所定単位ごとに計数した結果を表示可能なカウンタ装置２１と、カウンタ装置２１に電力を供給する自動販売機本体１０とを備えた自動販売機において、自動販売機本体１０とカウンタ装置２１との間を接続し又は切断する切替部４２と、切替部４２を駆動する切断ボタンと、所定の電力を供給可能な直流電源４１とを備え、切替部４２が、切断ボタンにより自動販売機本体１０とカウンタ装置２１との間を切断するときに直流電源４１とカウンタ装置２１との間を接続する電力供給スイッチ４２ｂを有する。【選択図】図４
2007299263.tif 000002
【特許請求の範囲】
【請求項１】
販売された商品を所定単位ごとに計数した結果を表示可能なカウンタ装置と、カウンタ装置に電力を供給する自動販売機本体とを備えた自動販売機において、
自動販売機本体とカウンタ装置との間を接続し又は切断する切替手段と、
切替手段を駆動する切替駆動手段と、
所定の電力を供給可能な電力供給手段とを備え、
切替手段が、切替駆動手段により自動販売機本体とカウンタ装置との間を切断するときに電力供給手段とカウンタ装置との間を接続する電力供給スイッチを有する
ことを特徴とする自動販売機。
【請求項２】
前記電力供給手段を直流電源から構成し、
直流電源の陽極と陰極との間に接続されるカウンタ装置を含む所定の機器に対して陽極側に電力供給スイッチを設けた
ことを特徴とする請求項１に記載の自動販売機。
【請求項３】
前記切替駆動手段が、押下されているときに自動販売機本体とカウンタ装置との間を切断する切断ボタンを有する
ことを特徴とする請求項１又は２に記載の自動販売機。
【請求項４】
前記切替手段と切替駆動手段と電力供給手段とを一体に構成し、自動販売機本体とカウンタ装置との間に設けた
ことを特徴とする請求項１乃至３の何れかに記載の自動販売機。
【請求項５】
前記カウンタ装置が、押下されるときに所定単位ごとの計数結果を表示する表示ボタンを有する
ことを特徴とする請求項１乃至４に記載の自動販売機。
【発明の詳細な説明】
【技術分野】
【０００１】
本発明は、例えば商品種類別、価格別等の販売数を表示するカウンタ装置を備えた自動販売機に関するものである。
【背景技術】
【０００２】
従来、この種の自動販売機として、自動販売機本体の前面の外扉の裏面に、表示部および複数の入力キーを有する表示入力部と、商品の販売数を計数する複数のカウンタとを設け、入力キーによりカウンタの識別番号が指定されると、その識別番号のカウンタに関係づけられている販売価格を表示入力部の表示部に表示するようにしたものが知られている（例えば特許文献１参照。）。
【特許文献１】特開２０００−２０８０７号公報
【発明の開示】
【発明が解決しようとする課題】
【０００３】
しかしながら、従来の自動販売機では、表示部を有するカウンタ装置に自動販売機本体から電力を供給する場合、自動販売機に交流電源を接続できない場所等により自動販売機本体が通電されていないときに、カウンタ装置は販売数を表示することができないという問題点があった。
【０００４】
また、電池等の電源を内蔵したカウンタ装置を用いる場合、外扉の裏面の限られたスペースに配置するために小型化、薄型化する必要があることから、電源を内蔵しないカウンタ装置と比較して高価であるという問題点があった。
【０００５】
本発明は前記問題点に鑑みてなされたものであり、その目的とするところは、電源を内蔵したカウンタ装置を用いることなく、自動販売機本体が通電していないときでも商品の累計販売数を表示することのできる自動販売機を提供することにある。
【課題を解決するための手段】
【０００６】
本発明は前記目的を達成するために、販売された商品を所定単位ごとに計数した結果を表示可能なカウンタ装置と、カウンタ装置に電力を供給する自動販売機本体とを備えた自動販売機において、自動販売機本体とカウンタ装置との間を接続し又は切断する切替手段と、切替手段を駆動する切替駆動手段と、所定の電力を供給可能な電力供給手段とを備え、切替手段が、切替駆動手段により自動販売機本体とカウンタ装置との間を切断するときに電力供給手段とカウンタ装置との間を接続する電力供給スイッチを有する自動販売機を提案する。
【０００７】
この自動販売機によれば、自動販売機本体とカウンタ装置との間が切断されるときに、電力供給手段とカウンタ装置との間が接続されるので、自動販売機本体が通電していないときに、自動販売機本体とカウンタ装置との間を切断して電力供給手段からカウンタ装置に電力を供給することが可能となる。
【発明の効果】
【０００８】
本発明によれば、自動販売機本体とカウンタ装置との間を切断して電力供給手段からカウンタ装置に電力を供給することが可能となることから、自動販売機本体の通電状態に関係なく、所定単位ごとの商品の累計販売数を表示することができ、利便性を向上することができるとともに、電源を内蔵した高価なカウンタ装置を用いる必要がなく、コストアップを防止することができる。
【発明を実施するための最良の形態】
【０００９】
図１乃至図５は本発明の一実施形態を示すもので、図１は自動販売機の斜視図、図２は図１に示した自動販売機の外扉を開いた状態を示す斜視図、図３は図１に示した自動販売機の制御系構成を示す概略ブロック図、図４は図１に示した自動販売機の電気系回路を示す概略構成図、図５は図２に示したカウンタ装置の変形例を示す拡大正面図である。
【００１０】
図１に示すように、自動販売機本体１０の前面には外扉２０が開閉自在に設けられている。
【００１１】
外扉２０の前面の上部には化粧パネル２２が設けられており、この化粧パネル２２の内部には多数の商品サンプル２２ａと商品名や商品メーカ名等の広告２２ｂが展示されている。また、化粧パネル２２の前面には各商品サンプル２２ａに対応した商品選択ボタン２２ｃがそれぞれ配置されている。
【００１２】
外扉２０の前面中央には、ロック操作レバー２３、硬貨投入口２４、返却レバー２５、金額表示部２６、及び紙幣投入口２７が設けられている。
【００１３】
ロック操作レバー２３は、外扉２０内に設けられたロック機構（図示せず）を動作させて外扉２０を開閉するためのもので、専用キーによって解錠可能になっている。
【００１４】
外扉２０の前面下部には、硬貨返却口２８、及び商品取出口２９が設けられており、商品取出口２９には、手動により開放可能な開閉扉２９ａが設けられている。
【００１５】
図２に示すように、自動販売機本体１０の内部には上下に商品収納庫１１と機械室１２とを有している。商品収納庫１１内には上部に商品を補充するための商品投入口１３ａが形成されており、補充された商品を収納、搬出するサーペンタイン式の商品収納ラック１３を左右方向に４台並設している。
【００１６】
各商品収納ラック１３は、幅方向に対向する一対の側板１３ｂを有しており、側板１３ｂ間に複数の円弧板１３ｃを前後方向に対向させ、上下に蛇行して延びる商品収納部（図示せず）を形成している。また、各商品収納ラック１３はそれぞれ隣接する商品収納ラック１３の間に間隙Ａを有しており、この間隙Ａに断熱性の仕切板（図示せず）を介在させることにより、商品収納庫１１が左右の庫室に仕切られている。
【００１７】
商品収納庫１１は、後述する冷却装置及び加熱装置によって左右の庫室の一方の庫室（以下、冷却庫室という）が冷却されるとともに、他方の庫室（以下、加熱庫室という）が加熱されている。
【００１８】
商品収納庫１１の前面は断熱性の内扉１４によって開閉されるようになっており、内扉１４の下部には商品収納庫１１の商品を商品取出口２９へ搬出する払出口１４ａが設けられている。
【００１９】
外扉２０の内面にはリモコンタイプのカウンタ装置２１が設けられており、カウンタ装置２１は表面に出力部２１ａ及び入力部２１ｂを備えている。
【００２０】
図３に示す制御装置３０は、自動販売機全体を制御するためのものであり、硬貨処理機３１、紙幣識別機３２、返却レバー２５、商品選択ボタン２２ｃ、搬出駆動部３３、圧縮機駆動部３５、ヒータ駆動部３７、及び電源ボックス４０が接続されている。また制御装置３０は、ＣＰＵ及びＲＡＭ、ＲＯＭ等のメモリを備えた周知のコンピュータからなり、自己のメモリ内に格納されたプログラムに基づいて制御信号を送出している。なお、本実施形態では制御装置３０を一台のコンピュータで構成したが、これに限定されず、複数台のコンピュータで構成してもよい。
【００２１】
硬貨処理機３１と紙幣識別機３２は外扉２０内に配置されており、硬貨処理機３１は硬貨投入口２４を通じて投じられた硬貨の真偽識別と計数と貯蔵を行い、投入硬貨の金額に関するデータを制御装置３０に出力する。
【００２２】
紙幣識別機３２は、紙幣投入口２７を通じて投入された紙幣の真偽識別と貯蔵を行い、投入紙幣の金額に関するデータを制御装置３０に出力する。
【００２３】
制御装置３０は、硬貨処理機３１又は紙幣識別機３２から出力された金額に関するデータを演算して金額表示部２６に表示するとともに、当該金額で販売可能な商品に対応する商品選択ボタン２２ｃのランプを点灯する。
【００２４】
返却レバー２５は、操作されることにより返却信号を制御装置３０に出力し、制御装置３０は、投入された硬貨を硬貨返却口２８から返却し、あるいは投入された紙幣を紙幣投入口２７から返却するとともに、金額表示部２６に表示した金額に関するデータをゼロにする。
【００２５】
各商品選択ボタン２２ｃは、ランプの点灯中に操作されることにより、各商品選択ボタン２２ｃに対応する販売商品に関するデータを制御装置３０に出力する。
【００２６】
搬出駆動部３３は、商品を落下搬出するための商品搬出機構３４の動作を制御するためのものであり、各商品収納ラック１３に設けられている。
【００２７】
制御装置３０は、商品選択ボタン２２ｃから入力される販売商品に関するデータに基づいて搬出駆動部３３に制御信号を送出し、搬出駆動部３３は所定の商品搬出機構３４を動作させて所期の商品を搬出する。また、制御装置３０は商品を搬出した後、販売商品に関するデータを電源ボックス４０を介してカウンタ装置２１に出力する。
【００２８】
圧縮機駆動部３５は、冷却装置（図示せず）を構成する圧縮機３６の動作、詳しくは圧縮機３６を駆動するモータの回転数を制御するためのもので、周知のインバータからなり、制御装置３０からの制御信号に基づいて圧縮機３０を駆動して冷却庫室を初期の温度に冷却する。
【００２９】
ヒータ駆動部３７は、加熱装置（図示せず）を構成するヒータ３８への通電を制御するためのもので、制御装置３０からの制御信号に基づいてヒータ３８を駆動して加熱庫室を初期の温度に加熱する。
【００３０】
カウンタ装置２１は、前述した出力部２１ａ及び入力部２１ｂに加え、記憶部２１ｃ及び制御部２１ｄから構成されている。
【００３１】
制御部２１ｄは、ＣＰＵ及びＲＡＭ、ＲＯＭ等のメモリを備えた周知のコンピュータからなり、出力部２１ａ、入力部２１ｂ、及び記憶部２１ｃが接続されている。
【００３２】
記憶部２１ｃはＥＥＰＲＯＭ等の書き換え可能な記憶素子からなり、制御部２１ｄは、電源ボックス４０を介して制御装置３０から入力される販売商品に関するデータに基づいて、商品種類別、価格別、自動販売機全体等の所定単位ごとにカウントした現在までの累計販売数を記憶部２１ｃに記憶する。
【００３３】
入力部２１ｂは複数の選択ボタンを有しており、選択ボタンが操作されることにより、制御部２１ｃは選択ボタンに対応した累計販売数、例えば販売価格１２０円の商品の累計販売数を、記憶部２１ｃから読み込んで出力部２１ａに出力する。
【００３４】
出力部２１ａは液晶画面等からなり、制御部２１ｄから入力された累計販売数を画面に表示する。なお、本実施形態では出力部２１ａを一つの画面で構成したが、これに限定されず、複数の画面で構成してもよい。
【００３５】
図４に示すように、カウンタ装置２１には、電源ボックス４０を介して自動販売機本体１０から電力が供給されている。
【００３６】
すなわち、商用交流電源１５は、自動販売機全体に電力を供給するためのもので、自動販売機本体１０に設けられており、一般的家庭用電源を用いている。
【００３７】
整流回路１６は、ダイオード及びコンデンサ等を有する周知の整流器からなり、商用交流電源１５の交流電力を直流電力に整流している。
【００３８】
変圧回路１７は、鉄心及び巻線等を有する周知の変圧器からなり、整流された直流電圧をカウンタ装置２１に適した電圧に変圧している。
【００３９】
制御装置３０には変圧回路１７によって変圧された直流電力が入力されており、電源ボックス４０を介してカウンタ装置２１が接続されている。これにより、自動販売機本体１０からカウンタ装置２１に電力を供給することができる。
【００４０】
電源ボックス４０は、商用交流電源１５の停止、故障、断線等により自動販売機本体１０からカウンタ装置２１に電力を供給できないときに電力を供給するためのもので、直流電源４１、切替部４２、ダイオード４３、抵抗４４、ツェナーダイオード４５から構成されており、自動販売機本体１０とカウンタ装置２１との間に設けられている。具体的には信号線、電力線等からなるハーネスの入力側を自動販売機本体１０と接続し、出力側をカウンタ装置２１と接続している。これにより、従来の自動販売機本体１０及びカウンタ装置２１を変更することなく、カウンタ装置２１に電力を供給することができる。
【００４１】
直流電源４１は、周知のアルカリ乾電池等からなり、電力供給スイッチ４２ｂを介してダイオード４３のアノードと接続し、さらに抵抗４４、ツェナーダイオード４５、及び切替スイッチ４２ａを介してカウンタ装置２１と接続している。これにより、抵抗４４及びツェナーダイオード４５の値を設定することにより、カウンタ装置２１に適した電力を供給することが可能となる。
【００４２】
なお、本実施形態では直流電源４１をアルカリ電池等の一次電池で構成したが、これに限定されず、二次電池や大容量コンデンサ等で構成して商用交流電源１５から充電してもよい。
【００４３】
切替部４２は、自動販売機本体１０とカウンタ装置２１との間を接続し又は切断するためのものであり、切替スイッチ４２ａ及び電力供給スイッチ４２ｂから構成されている。
【００４４】
切替スイッチ４２ａはカウンタ装置２１に電力を供給するためのものであり、自動販売機本体１０とカウンタ装置２１との間を接続（図において上側の接点に接続）し、又は切断（図において下側の接点に接続）、すなわち直流電源４１とカウンタ装置２１との間を接続可能にしている。
【００４５】
電力供給スイッチ４２ｂは直流電源４１からカウンタ装置２１に電力を供給するためのものであり、直流電源４１とカウンタ装置２１との間を切断（図において上側の接点に接続）し、又は接続（図において下側の接点に接続）可能にしている。
【００４６】
また、電力供給スイッチ４２ｂは、ダイオード４３、抵抗４４、ツェナーダイオード４５、及びカウンタ装置２１に対して陽極側に設けられている。例えば、電力供給スイッチ４２ｂを直流電源４１の陰極側に設ける場合、直流電源４１とカウンタ装置２１との間を切断していても、短絡等により閉じた回路が形成されると直流電源４１からその回路に電流が流れるおそれがある。しかし、電力供給スイッチ４２ｂを直流電源４１の陽極側に設けているので、このような漏電のおそれがない。
【００４７】
さらに、電力供給スイッチ４２ｂは、切替スイッチ４２ａが自動販売機本体１０とカウンタ装置２１との間を切断（図において下側の接点に接続）するときに、直流電源４１とカウンタ装置２１との間を接続（図において下側の接点に接続）するようになっている。これにより、自動販売機本体１０が通電していないときに、自動販売機本体１０とカウンタ装置２１との間を切断して直流電源４１からカウンタ装置２１に電力を供給することが可能となる。
【００４８】
電源ボックス４０は表面に切断ボタン（図示せず）を備えており、切断ボタンは切替部４２を駆動している。
【００４９】
すなわち、切断ボタンが押下されていないとき、切替スイッチ４２ａは自動販売機本体１０とカウンタ装置２１との間を接続（図において上側の接点に接続）して、自動販売機本体１０からカウンタ装置２１に電力を供給し、電力供給スイッチ４２ｂは直流電源４１とカウンタ装置２１との間を切断（図において上側の接点に接続）している。また、切断ボタンが押下されているときのみ、切替スイッチ４２ａは自動販売機本体１０とカウンタ装置２１との間を切断（図において下側の接点に接続）し、すなわち電力供給スイッチ４２ｂは直流電源４１とカウンタ装置２１との間を接続（図において下側の接点に接続）する。これにより、自動販売機本体１０が通電していないときであっても、カウンタ装置２１が累計販売数を表示しない等電力を必要としない場合に、直流電源４１からカウンタ装置２１に電力を供給することがない。
【００５０】
このように、本発明によれば、自動販売機本体１０とカウンタ装置２１との間を切断するときに、直流電源４１とカウンタ装置２１との間を接続するので、自動販売機本体１０が通電していないときに、自動販売機本体１０とカウンタ装置２１との間を切断して直流電源４１からカウンタ装置２１に電力を供給することが可能となることから、自動販売機本体１０の通電状態に関係なく、所定単位ごとの商品の累計販売数を表示することができ、利便性を向上することができるとともに、電源を内蔵した高価なカウンタ装置を用いる必要がなく、コストアップを防止することができる。
【００５１】
また、電力供給スイッチ４２がダイオード４３、抵抗４４、ツェナーダイオード４５、及びカウンタ装置２１に対して陽極側に設けられているので、漏電のおそれがないことから、無用な電力消費を防止することができ、直流電源４１の寿命を延ばすことができる。
【００５２】
さらに、切断ボタンが押下されているときに、切替スイッチ４２ａは自動販売機本体１０とカウンタ装置２１との間を切断するので、自動販売機本体１０が通電していないときであっても、カウンタ装置２１が累計販売数を表示しない等電力を必要としない場合に、直流電源４１からカウンタ装置２１に電力を供給することがないことから、無用な電力消費を防止することができ、直流電源４１の寿命をさらに延ばすことができる。
【００５３】
さらに、直流電源４１、切替部４２、ダイオード４３、抵抗４４、ツェナーダイオード４５から構成され、切断ボタンを備えた電源ボックス４０が、自動販売機本体１０とカウンタ装置２１との間に設けられているので、従来の自動販売機本体１０及びカウンタ装置２１を変更することなく、カウンタ装置２１に電力を供給することができることから、電源ボックス４０の設置に伴うコストを最小限に抑えることができ、さらにコストアップを防止することができる。
【００５４】
なお、図５に示すように、カウンタ装置２１が表面に表示ボタン２１ｅを備え、表示ボタン２１ｅが押下されるときに、入力部２１ｂの選択ボタンを操作することにより、出力部２１ａに所定単位ごとの商品の累計販売数を表示するようにしてもよい。これにより、表示ボタン２１ｅが押下されるまで表示に伴う電力を消費することがないことから、無用な電力消費を防止することができ、直流電源４１の寿命をさらに延ばすことができる。
【００５５】
なお、本発明の構成は、前記実施形態にのみ限定されるものではなく、本発明の要旨を逸脱しない範囲内において種々変更を加えてもよい。
【図面の簡単な説明】
【００５６】
【図１】自動販売機の斜視図
【図２】図１に示した自動販売機の外扉を開いた状態を示す斜視図
【図３】図１に示した自動販売機の制御系構成を示す概略ブロック図
【図４】図１に示した自動販売機の電気系回路を示す概略構成図
【図５】図２に示したカウンタ装置の変形例を示す拡大正面図
【符号の説明】
【００５７】
１０…自動販売機本体、２１…カウンタ装置、２１ｅ…表示ボタン、４０…電源ボックス、４１…直流電源、４２…切替部、４２ａ…切替スイッチ、４２ｂ…電力供給スイッチ
【図１】
2007299263.tif 000003
【図２】
2007299263.tif 000004
【図３】
2007299263.tif 000005
【図４】
2007299263.tif 000006
【図５】
2007299263.tif 000007